(57)【要約】【課題】作業者の監視を要することなく臭化リチウム溶液を吸収式冷温水機外へ排出、あるいは吸収式冷温水機内に注入することが可能な吸収式冷温水機の溶液回収装置、及び溶液回収方法の提供。【解決手段】鉛直方向に膨張又は収縮可能な溶液回収タンク１１０と、臭化リチウム溶液を回収、注入するための排出・注入用開閉弁２００ａ〜２００ｄと、この排出・注入用開閉弁２００ａ〜２００ｄと溶液回収タンク１１０とを接続するホース１００と、溶液回収タンク１１０を案内するガイド柱１３０、１３１及びガイド１３２ａ〜１３２ｊと、溶液回収タンク１１０の所定の高さ位置を検知する第１検知部１４０、第２検知部１４１と、臭化リチウム溶液を溶液回収タンク１１０内から押し出す錘１２３、１２４と、第１検知部１４０、１４１からの検知信号に連動して開閉する連動開閉弁１２０とを備えた。【選択図】図２
2008232545.tif 000002
【特許請求の範囲】
【請求項１】
吸収式冷温水機に収容される溶液をこの吸収式冷温水機外へ排出させる際に、又はこの吸収式冷温水機内に注入する際に用いられる吸収式冷温水機の溶液回収装置において、前記溶液を収容可能で、鉛直方向に膨張又は収縮可能な溶液回収タンクと、前記溶液を排出、注入するための排出・注入用開閉弁と、この排出・注入用開閉弁と前記溶液回収タンクとを接続する連絡通路を有する導通手段と、前記溶液タンクの膨張又は収縮に際して、この溶液回収タンクを鉛直方向に案内するガイド手段と、前記溶液回収タンクの高さ位置を検知する検知部と、前記溶液を前記溶液回収タンク内から押し出す加圧手段と、前記検知部から出力される検知信号に連動して前記連絡通路を開閉する連動開閉弁とを備えたことを特徴とする吸収式冷温水機の溶液回収装置。
【請求項２】
前記請求項１に記載の発明において、
前記導通手段の前記連絡通路が、前記溶液が導かれるホースと、このホースが連通する前記溶液回収タンクに備えられる蓋部の穴を含むことを特徴とする吸収式冷温水機の溶液回収装置。
【請求項３】
請求項１又は２に記載の発明において、
前記検知部から出力される検知信号によって作動し、前記溶液回収タンクの高さ位置が所定の位置になったことを報知する報知手段を備えたことを特徴とする吸収式冷温水機の溶液回収装置。
【請求項４】
請求項１項に記載の発明において、
前記検知部は、前記溶液回収タンクの溶液の量が最大量である高さ位置を検知する第１検知部と、前記溶液回収タンクに溶液が無い状態の高さ位置を検知する第２検知部から成ることを特徴とする吸収式冷温水機の溶液回収装置。
【請求項５】
請求項１に記載の発明において、
前記溶液を前記溶液回収タンクに排出させた後に、前記溶液回収タンク内の気体を除去する気液分離装置と、この気液分離装置を真空にするためのポンプとを備えたことを特徴とする吸収式冷温水機の溶液回収装置。
【請求項６】
請求項１〜５のいずれか１項に記載の吸収式冷温水機の溶液回収装置に適用される吸収式冷温水機の溶液回収方法において、
前記吸収式冷温水機の前記溶液を前記吸収式冷温水機外の前記溶液回収タンクに一時的に排出させて保管した後、前記吸収式冷温水機に係る部品の交換作業を行い、この部品の交換作業と平行に前記溶液回収タンク内の前記溶液に混入した気体を除去しておき、前記部品の交換作業終了後に前記吸収式冷温水機の内部をポンプで吸引して真空状態にした後、前記気体が除去された前記溶液を前記吸収式冷温水機内へ注入することを特徴とする吸収式冷温水機の溶液回収方法。
【発明の詳細な説明】
【技術分野】
【０００１】
本発明は、吸収式冷温水機の部品交換作業の際に、吸収式冷温水機の溶液を一時的に排出させ、部品交換作業終了後に、排出させた溶液を再び吸収式冷温水機へ注入する吸収式冷温水機の溶液回収装置及び溶液回収方法に関する。
【背景技術】
【０００２】
従来、吸収式冷温水機の長時間の稼動によって劣化したパッキンやポンプのベアリングを交換する部品交換作業の際に、一旦、吸収式冷温水機に収容されている溶液、すなわち臭化リチウム溶液を吸収式冷温水機の外部に排出させる必要がある。また、吸収式冷温水機の性質上、吸収式冷温水機の内部を空気に接触させると吸収式冷温水機の内部に錆を発生させる虞があるので、臭化リチウム溶液を吸収式冷温水機の外に排出させるには、吸収式冷温水機の上部から不活性ガスである窒素により加圧し、吸収式冷温水機の下部にある溶液排出弁から臭化リチウム溶液を排出させる必要があった。また、吸収式冷温水機は、吸収式冷温水器の内部を真空状態にすることで能力が発揮するために、真空に耐える構造となっているが、内部からの大きな加圧には弱い構造となっているため、窒素で加圧する圧力は制限される。なお、臭化リチウム溶液を回収する際は、この臭化リチウム溶液を溶液排出弁から溶液回収タンクへ案内する溶液排出ホースを通過させて、溶液回収タンクへ排出するが臭化リチウム溶液が溶液回収タンクに満たされるまで、作業員が目視にて、この臭化リチウム溶液の液面を監視する必要があった。この種の従来の技術としては、特許文献１に示すものがある。
【特許文献１】特開２００２−１９５６７８公報
【発明の開示】
【発明が解決しようとする課題】
【０００３】
しかしながら、上述した従来の吸収式冷温水機の長時間の稼動によって劣化した吸収式冷温水機のパッキンやポンプのベアリングを交換する部品交換作業の際に、臭化リチウム溶液を吸収式冷温水機外へ排出、あるいは、吸収式冷温水機内へ注入する方法では、吸収式冷温水機の臭化リチウム溶液を排出させる際に、窒素で加圧し、臭化リチウム溶液を大気に開放した溶液回収タンクへ排出させるので作業時間がかかる。また、この臭化リチウム溶液の排出時に溶液回収タンクからオーバーフローしないように作業者が溶液回収タンク内の臭化リチウム溶液の溜まり状態を監視しなければならない効率の悪い作業となっていた。
【０００４】
また、臭化リチウム溶液を吸収式冷温水機内に注入するときは、吸収式冷温水機の内部を真空にして臭化リチウム溶液を吸引して注入することが行われるが、その臭化リチウム溶液の注入時に空気が混入しないように作業者が液面を監視しなければならないため、その間は拘束され、他の作業ができない非効率な作業となっていた。
【０００５】
なお、前述の溶液回収タンクは密閉されていないため、臭化リチウム溶液と大気が接触している状態となり、臭化リチウム溶液に空気が溶け込んでしまうという問題もあった。
【０００６】
本発明は、このような従来技術の実状を考慮してなされたもので、その目的は、吸収式冷温水機の長時間の稼動によって劣化したこの吸収式冷温水機のパッキンやポンプのベアリングを交換する部品交換作業の際に、作業者の監視を要することなく臭化リチウム溶液を吸収式冷温水機外へ排出、あるいは吸収式冷温水機内に注入することが可能な吸収式冷温水機の溶液回収装置、及び溶液回収方法を提供することにある。
【課題を解決するための手段】
【０００７】
この目的を達成するために、本発明の吸収式冷温水機の溶液回収装置は、吸収式冷温水機に収容される溶液をこの吸収式冷温水機外へ排出させる際に、又はこの吸収式冷温水機内に注入する際に用いられる吸収式冷温水機の溶液回収装置において、前記溶液を収容可能で、鉛直方向に膨張又は収縮可能な溶液回収タンクと、前記溶液を排出、注入するための排出・注入用開閉弁と、この排出・注入用開閉弁と前記溶液回収タンクとを接続する連絡通路を有する導通手段と、前記溶液タンクの膨張又は収縮に際して、この溶液回収タンクを鉛直方向に案内するガイド手段と、前記溶液回収タンクの高さ位置を検知する検知部と、前記溶液を前記溶液回収タンク内から押し出す加圧手段と、前記検知部から出力される検知信号に連動して前記連絡通路を開閉する連動開閉弁とを備えたことを特徴としている。
【０００８】
このように構成した本発明は、吸収式冷温水機の長時間の稼動によって劣化したこの吸収式冷温水機のパッキンやポンプのベアリングを交換する部品交換作業の際に、吸収式冷温水機から溶液、例えば臭化リチウム溶液を排出させるときには、溶液回収タンクを収縮させた状態にしておき、この状態で、吸収式冷温水機の内部を加圧することで、吸収式冷温水機の臭化リチウム溶液は、吸収式冷温水機の回収・注入用開閉弁から導通手段を介して溶液回収タンクに送り込まれる。また、溶液回収タンクは、臭化リチウム溶液が送り込まれるにつれて膨張し、さらに、ガイド手段によって鉛直上方に案内され、この溶液回収タンクが所定の高さ位置になると、この高さ位置を検知部が検知する。そして、この検知部から出力される検知信号に連動して連動開閉弁が閉状態、つまり、導通手段の連絡通路が閉じられ、臭化リチウム溶液が溶液回収タンク内に入り込むのを停止させる。したがって、溶液回収タンクから臭化リチウム溶液がオーバーフローしないように、作業者が臭化リチウム溶液の液面を監視する必要がなく、これにより、作業員の労力を軽減することができる。
【０００９】
また、溶液回収タンクから臭化リチウム溶液を吸収式冷温水機内へ注入するときには、吸収式冷温水機の内部を真空にするとともに、連動開閉弁を開状態にした状態で、加圧手段により溶液回収タンク溶液を加圧する。これにより、臭化リチウム溶液が導通手段を介して排出・注入用開閉弁から吸収式冷温水機に注入される。溶液回収タンクは、溶液回収タンク内の溶液が少なくなることにより収縮し、さらに、ガイド手段によって鉛直下方に案内される。溶液回収タンクの高さ位置が所定の高さ位置になると、検知部がこの所定の高さ位置を検知して、この検知信号により、連動開閉弁が閉状態となる。つまり、導通手段の連絡通路が閉じられ、臭化リチウム溶液が吸収式冷温水機内に注入されるのを停止させる。したがって、溶液回収タンク内に空気があった場合にも、作業者が臭化リチウム溶液の液面を監視する必要がなく、これにより、作業員の労力を軽減することができる。このようにして、作業者の監視を要することなく臭化リチウム溶液を吸収式冷温水機外へ排出、あるいは吸収式冷温水機内に注入することができる。
【００１０】
また、本発明は、前記発明において、前記導通手段の連絡通路が、前記溶液が導かれるホースと、このホースが連通する前記溶液回収タンクに備えられる蓋部の穴を含むことを特徴としている。このように構成した本発明は、ホースと蓋部の穴を介して臭化リチウムウ溶液を大気中にさらすことなく、臭化リチウム溶液を吸収式冷温水機外へ排出、あるいは吸収式冷温水機内に注入することができる。
【００１１】
また、本発明は、前記発明において、前記検知部から出力される検知信号によって作動し、前記溶液回収タンクの高さ位置が所定の位置になったことを報知する報知手段を備えたことを特徴としている。このように構成した本発明は、作業者に溶液回収タンクが所定の位置になったことを報知手段を介して確実に知らせることができる。
【００１２】
また、本発明は、前記発明において、前記検知部は、前記溶液回収タンクの溶液の量が最大量である高さ位置を検知する第１検知部と、前記溶液回収タンクに溶液が無い状態の高さ位置を検知する第２検知部から成ることを特徴としている。
【００１３】
また、本発明は、前記発明において、前記溶液を前記溶液回収タンクに回収した後に、前記溶液回収タンク内の気体を除去する気液分離装置と、この気液分離装置を真空にするためのポンプとを備えたこと特徴としている。このように構成した本発明は、気液分離装置とポンプの駆動により、溶液回収タンク内の空気を除去することができるので、溶液回収タンク内の臭化リチウム溶液を吸収式冷温水機内へ注入する際に、空気が吸収式冷温水機内へ送り込まれることを防ぐことができる。
【００１４】
また、本発明の吸収式冷温水機の溶液回収方法は、前記吸収式冷温水機の前記溶液を前記吸収式冷温水機外の前記溶液回収タンクに一時的に排出させて保管した後、前記吸収式冷温水機に係る部品の交換作業を行い、この部品の交換作業と平行に前記溶液回収タンク内の前記溶液に混入した気体を除去しておき、前記部品の交換作業終了後に前記吸収式冷温水機の内部をポンプで吸引して真空状態にした後、前記気体が除去された前記溶液を前記吸収式冷温水機内へ注入することを特徴としている。この吸収式冷温水機の溶液回収方法では、特に、吸収式冷温水機の部品の交換作業と平行して、溶液回収タンク内の臭化リチウム溶液に混入した気体を除去することで、整備作業に要する時間を短縮することができる。
【発明の効果】
【００１５】
本発明の吸収式冷温水機の溶液回収装置及び溶液回収方法は、吸収式冷温水機の長時間の稼動によって劣化したこの吸収式冷温水機のパッキンやポンプのベアリングを交換する部品の交換作業の際に、作業者の監視を要することがなく、これにより、作業員の労力を軽減することができる。したがって、吸収式冷温水機の部品の交換作業を実施するための溶液の排出、注入作業の能率を従来よりも向上させることができる。
【発明を実施するための最良の形態】
【００１６】
以下、本発明に係る吸収式冷温水機の溶液回収装置及び溶液回収方法を実施するための最良の形態を図に基づいて説明する。
【００１７】
［本実施形態に係る溶液回収装置が装備される吸収式冷温水機］
図１は、本発明に係る吸収式冷温水機の溶液回収装置の一実施形態が装備される吸収式冷温水機の一例を示す図である。
【００１８】
本実施形態に係る溶液回収装置が装備される吸収式冷温水機１０は、例えば、図１に示すように二重効用吸収式冷温水機であり、互いに隣接し、水が入っている蒸発器１及び臭化リチウム溶液の入った吸収器２と、互いに隣接し、蒸気を凝縮させて再び液体化する凝縮器３及び低温の熱源で加熱濃縮させる低温再生器４と、高温の熱源で液体を過熱する高温再生器５と、低温での熱交換を行う低温熱交換器６と、高温での熱交換を行う高温熱交換器７と、冷媒液を散布する冷媒ポンプ８と、及び臭化リチウム溶液を散布する溶液ポンプ１１とを有している。これらの蒸発器１、吸収器２、凝縮器３、低温再生器４、及び高温再生器５を冷媒、例えば水が循環して冷却能力および暖房能力の少なくとも一方を発揮するようになっている。このような吸収式冷温水機１０内には、蒸発器１の冷媒蒸気を吸収する吸収剤である臭化リチウム溶液が内部を循環するようになっている。また、吸収式冷温水機１０の蒸発器１の上部には、不活性ガスである窒素を注入可能な排出弁２００ｆが設けられている。
【００１９】
［本実施形態に係る溶液回収装置の構成］
図２は、本実施形態に係る溶液回収装置の構成を示すとともに、本実施形態で実施される動作を示す概略図、図３は、本実施形態に係る溶液回収装置で実施される溶液タンク内に含まれる気体を取り除く動作を説明する図である。図４は、本実施形態の溶液回収装置を用いて実施される溶液回収方法の一実施形態を示すフローチャートである。
【００２０】
上述した吸収式冷温水機１０に用いられる本実施形態に係る溶液回収装置は、図１、図２に示すように、吸収式冷温水機１０に接続され、溶液、例えば臭化リチウム溶液を排出、注入するための回収・注入用開閉弁２００ａ〜２００ｄと、臭化リチウム溶液を収容可能で、内部へ溜まる臭化リチウム溶液の量に応じて鉛直方向に膨張又は収縮可能な溶液回収タンク１１０と、前述した排出・注入用開閉弁２００ａ〜２００ｄと溶液回収タンク１１０とを接続する連絡通路を有する導通手段、すなわち排出・注入用開閉弁２００ａ〜２００ｄに一端１００ａが接続され、他端１００ｂが溶液回収タンク１１０の蓋部１１１の穴１１２に連通するフレキシブルなホース１００とを備えている。
【００２１】
また、溶液回収タンク１１０の膨張又は収縮に際して、この溶液回収タンク１１０を鉛直方向に案内するガイド手段、すなわち溶液回収タンク１１０の周囲に立設するガイド柱１３０、ガイド柱１３１及びガイド１３２ａ〜１３２ｊと、ガイド柱１３１に設置され、溶液回収タンク１１０の高さ位置を検知する第１検知部１４０及び第２検知部１４１とを備えている。さらに、臭化リチウム溶液を溶液回収タンク１１０内から押し出す加圧手段、すなわち錘１２３，錘１２４及び押え板１５０と、第１検知部１４０及び第２検知部１４１から出力される検知信号に連動してホース１００の連絡通路を開閉する連動開閉弁、すなわち電磁弁１２０を備えている。
【００２２】
なお、前述の導通手段の連絡通路は、臭化リチウム溶液が導かれるホース１００と、このホース１００が連通する溶液回収タンク１１０に備えられる蓋部１１１の穴１１２を含んでいる。
【００２３】
また、前述の第１検知部１４０、第２検知部１４１から出力される検知信号によって作動し、溶液回収タンク１１０の高さ位置が所定の位置になったことを報知する報知手段、例えば、図示しないブザーが備えられている。
【００２４】
前述の電磁弁１２０と蓋１１１間のホース１００には、電磁弁１２０とワンタッチで着脱可能な接続体、例えばカプラ１２１が設けられており、溶液回収タンク１１０内が外部の大気と接触しないように密閉されている。さらに、前述のホース１００の排出・注入開閉弁２００ａ〜２００ｄに接続される一端１００ａ側には、排出・注入開閉弁２００ａ〜２００ｄとワンタッチで着脱可能な接続体、例えばカプラ１２２が設けられている。
【００２５】
前述のガイド１３２ａ〜１３２ｊは、一方がそれぞれガイド柱１３０、１３１を囲んでいる環状になっており、他方がそれぞれ溶液回収タンク１１０に接続されている。
【００２６】
前述の第１検知部１４０は、ガイド柱１３１の上部に取り付けられており、溶液回収タンク１１０の臭化リチウム溶液の量が最大量である高さ位置を検知するようになっている。第１検知部が前述の臭化リチウム溶液の量が最大量である高さ位置を検知すると、ホース１００に接続されている電磁弁１２０が閉状態となり、吸収式冷温水機１０からの臭化リチウム溶液の排出が停止するようになっている。また、前述の第２検知部１４１は、ガイド柱１３１の下部に取り付けられており、溶液回収タンク１１０に臭化リチウム溶液が無い状態の高さ位置を検知するようになっている。第２検知部が前述の臭化リチウム溶液が無い状態の高さ位置を検知すると、ホース１００に接続されている電磁弁１２０が閉状態となり、溶液回収タンク１１０から吸収式冷温水機１０内への臭化リチウム溶液の注入が停止するようになっている。
【００２７】
溶液回収タンク１１０の上面には、押え板１５０が設置されており、溶液回収タンク１１０内に収納されている臭化リチウム溶液を吸収式冷温水機１０内に注入する際に、図２に示すように、押え板１５０に錘１２３、錘１２４を載せ、溶液回収タンク１１０の上部から圧力を加えることにより、臭化リチウム溶液が溶液回収タンク１１０から吸収式冷温水機１０内に注入される速度を速めるようになっている。
【００２８】
前述した吸収式冷温水機１０の蒸発器１の上部の排出弁２００ｆは、臭化リチウム溶液を溶液回収タンク１１０に排出させる際には、窒素を注入する窒素注入タンク１６１が接続され、溶液回収タンク１１０から吸収式冷温水機１０内に臭化リチウム溶液を注入する際には、吸収式冷温水機１０内を真空にするためのポンプ１６０に接続されるようになっている。
【００２９】
また、臭化リチウム溶液を溶液回収タンク１１０に排出させた後は、図３に示すように、前述のホース１００に設けられているカプラ１２２に溶液回収タンク１１０内の気体を除去する気液分離装置３０１を接続し、この気液分離装置３０１に気液分離装置３０１内を真空にするためのポンプ１６０を接続するようになっている。カプラ１２２に接続されるホース１００の一端１００ａ側には、開閉弁３０２が取り付けられる。前述の気液分離装置３０１と溶液回収タンク１１０とは、前述したホース１００と、気液分離装置３０１で窒素などの気体を除去した空気を溶液回収タンク１１０に戻すためのホース１０１により接続されている。
【００３０】
［吸収式冷温水機の整備作業を行う手順］
吸収式冷温水機の整備作業を行う際に、吸収式冷温水機１０から臭化リチウム溶液を溶液回収タンク１１０へ排出させる手順ついて主に図２、図４を用いて説明する。例えば、図２に示すように、まず、吸収式冷温水機１０が停止している状態で、排出・注入開閉弁２００ａ〜２００ｄにホース１００を接続し、溶液回収タンク１１０を収縮状態にしておく。そして、吸収式冷温水機の上部にある排出弁２００ｆと窒素注入タンク１６１を接続し、不活性ガスである窒素を吸収式冷温水機１０内部に充填させ、所定の圧力で加圧して、図４に示すように、臭化リチウム溶液を溶液回収タンク１１０へ押出し、一時的に排出させて保管する（Ｓ１）。図２に示すように、臭化リチウム溶液が溶液回収タンク１１０へ入っていくと、溶液回収タンク１１０に接続されているガイド１３２ａ〜１３２ｊはガイド柱１３０、ガイド柱１３１に案内され、矢印Ａの鉛直上方に向かって溶液回収タンク１１０が膨張していく。溶液回収タンク１１０の容量が満たされていき、溶液回収タンク１１０の高さが、最大量である高さ位置になると、第１検知部１４０が作動し、電磁弁１２０が閉状態となり、臭化リチウム溶液の溶液回収タンク１１０への排出が停止する。次に、ホース１００を外し、別の図示しない溶液回収タンクに接続して、吸収式冷温水機１０内の臭化リチウム溶液が全てなくなるまで、（Ｓ１）の手順を繰り返す。
【００３１】
次に、吸収式冷温水機１０内の臭化リチウム溶液を全て排出させた後、吸収式冷温水機１０に係る部品交換及び溶液回収タンク１１０内の気体を除去する手順ついて主に図３、図４を用いて説明する。前述の（Ｓ１）の手順を繰り返し、吸収式冷温水機１０内の臭化リチウム溶液を全て排出させた後、図４に示すように、吸収式冷温水機１０に係る部品の交換作業を行う（Ｓ２）。この交換作業では、例えば、吸収式冷温水機１０の長時間の稼動によって劣化した図１に示す冷媒ポンプ８、溶液ポンプ９などのベアリングの交換又は排出・注入開閉弁２００ａ〜２００ｄのパッキン交換などが行われる。
【００３２】
また、この部品の交換作業と平行に溶液回収タンク内の臭化リチウム溶液に混入した気体を除去しておく（Ｓ３）。この場合、例えば、溶液回収タンク１１０内の気体を除去するには、図３に示すように、ホース１００をカプラ１２２を介して気液分離装置３０１に接続するとともに、ホース１０１を蓋部１１１の穴１１３に連通させ溶液回収タンク１１０と接続する。また、気液分離装置３０１にはポンプ１６０を接続する。次に、ポンプ１６０を動作させ、気液分離装置３０１内を真空にすることにより、溶液回収タンク１１０内の窒素などの気体を分離する。他に臭化リチウム溶液が収容されている溶液回収タンクがあれば、同様にして気体の除去作業を行う。
【００３３】
次に、吸収式冷温水機１０に係る部品の交換作業及び溶液回収タンク内の気体を除去した後に、溶液回収タンク内の臭化リチウム溶液を吸収式冷温水機１０内へ注入する動作について主に図２、図４を用いて説明する。まず、図４に示すように、部品の交換作業終了後に吸収式冷温水機１０の内部をポンプで吸引して真空状態にする（Ｓ４）。この場合、例えば、溶液回収タンク１１０の臭化リチウム溶液を吸収式冷温水機１０内へ注入する場合には、図２に示すように、吸収式冷温水機１０の上部にある排出弁２００ｆにポンプ１６０を接続して、吸収式冷温水機１０内を真空にしていく。
【００３４】
手順（Ｓ４）を行った後、図４に示すように、気体が除去された臭化リチウム溶液を吸収式冷温水機１０内に注入する（Ｓ５）。この場合、例えば、図２に示すように、ホース１００をカプラ１２２を介して排出・注入開閉弁２００ａ〜２００ｄに接続する。第１検知部１４０のスイッチにより、電磁弁１２０を開状態にすると、溶液回収タンク１１０内の臭化リチウム溶液が吸収式冷温水機１０内に戻されていく。そして、溶液回収タンク１１０の上面に設置された押え板１５０に錘１２３、錘１２４を載せることにより、溶液回収タンク１１０の上方から加圧する。これにより、溶液回収タンク１１０内の臭化リチウム溶液が吸収式冷温水機１０内に注入される速度が速まる。溶液回収タンク１１０内の臭化リチウム溶液が減っていくと、溶液回収タンク１１０が矢印Ｂの鉛直下方に収縮していき、そして、臭化リチウム溶液が無くなると、溶液回収タンク１１０に臭化リチウム溶液が無い状態の高さ位置を第２検知部１４１が検知する。この第２検知部１４１の検知信号に連動して、電磁弁１２０が閉状態となり、溶液回収タンク１１０から吸収式冷温水機１０内部への臭化リチウム溶液の注入が停止される。他に臭化リチウム溶液が収容されている溶液回収タンクがあれば、同様にして溶液回収タンク内の臭化リチウム溶液を吸収式冷温水機１０に注入させる。
【００３５】
このように構成した溶液回収装置及び溶液回収方法の実施形態によれば、吸収式冷温水機１０の長時間の稼動によって劣化したこの吸収式冷温水機１０の排出・注入用開閉弁２００ａ〜２００ｄのパッキンや冷媒ポンプ８及び溶液ポンプ９のベアリングを交換する部品交換作業の際に、吸収式冷温水機１０から臭化リチウム溶液を排出させるときには、吸収式冷温水機１０内に窒素を充填させて加圧することで、臭化リチウム溶液が溶液回収タンク１１０にホース１００を介して送り込まれ、溶液回収タンク１１０の臭化リチウムの量が最大量になったときの高さ位置を第１検知部１４０によって検知する。この検知信号により電磁弁１２０を閉状態とすることにより、臭化リチウム溶液が吸収式冷温水機１０内から溶液回収タンク１１０内に入り込むのを停止させるようにしたので、溶液回収タンク１１０から臭化リチウム溶液がオーバーフローしないように、作業者が臭化リチウム溶液の液面を監視する必要がない。
【００３６】
また、溶液回収タンク１１０から臭化リチウム溶液を吸収式冷温水機１０内へ注入するときには、吸収式冷温水機１０内を真空にして、電磁弁１２０を開状態にした状態で、押え板１５０に錘１２３、錘１２４を載せることにより、臭化リチウム溶液が吸収式冷温水機１０内にホース１００を介して送り込まれ、溶液回収タンク１１０の臭化リチウムの量が無くなったときの高さ位置を第２検知部１４１によって検知する。この検知信号により電磁弁１２０を閉状態とすることにより、溶液回収タンク１１０から吸収式冷温水機１０内部への臭化リチウム溶液の注入が停止されるようにしたので、作業者が臭化リチウム溶液の液面を監視する必要がない。このようにして、作業者の監視を要することなく、これにより、作業員の労力を軽減することができる。したがって、吸収式冷温水機１０の部品の交換作業を実施するための臭化リチウム溶液の回収、注入作業の能率を従来よりも向上させることができる。
【００３７】
また、ホース１００と蓋部１１１の穴１１２を介して、臭化リチウム溶液を吸収式冷温水器から溶液回収タンク１１０へ排出させ、一時的に収容された溶液回収タンク１１０の臭化リチウム溶液を吸収式冷温水機１０内に再度注入するようにしたので、臭化リチウム溶液を大気に開放することがなく、これによって、短時間で臭化リチウム溶液を排出、注入することができるとともに、臭化リチウム溶液に空気が溶け込んでしまうことを防止できる。
【００３８】
さらに、前述の第１検知部１４０、第２検知部１４１から出力される検知信号によって作動するブザーを備えたことにより、吸収式冷温水機１０内から臭化リチウム溶液を排出させる際に、溶液回収タンクの臭化リチウム溶液の量が最大量になったこと、及び溶液回収タンク１１０から臭化リチウム溶液を吸収式冷温水機１０内へ注入する際に、溶液回収タンク１１０内の臭化リチウムが無くなったことを作業者に知らせることができるので、作業社が他の作業をやっていても、効率的に無駄の無い作業を行うことができる。
【００３９】
また、溶液回収タンク１１０内の臭化リチウム溶液を吸収式冷温水機１０内に注入する前に、気液分離装置３０１とポンプ１６０により、溶液回収タンク１１０内の空気を除去するようにしたので、溶液回収タンク１１０内の空気を吸収式冷温水機１０内へ送り込んでしまうことを防ぐことができるとともに、溶液回収タンク１１０内の臭化リチウム溶液を吸収式冷温水機１０内に注入した後に、吸収式冷温水機１０内の排出弁２００ｆからポンプ１６０で吸引して臭化リチウム溶液内の空気を排出する真空引きの作業時間を大幅に低減することができる。
【００４０】
さらに、手順（Ｓ２）の吸収式冷温水機１０の冷媒ポンプ８、溶液ポンプ９などのベアリングの交換又は排出・注入開閉弁２００ａ〜２００ｄのパッキン交換などの部品交換作業と平行して、手順（Ｓ３）の溶液回収タンク１１０内に収納された臭化リチウム溶液に混入した気体を除去する作業を行うようにしたので、全体の整備作業に要する時間を短縮することができる。
【図面の簡単な説明】
【００４１】
【図１】本発明に係る溶液回収装置の一実施形態が装備される吸収式冷温水機の一例を示す図ある。
【図２】本実施形態係る溶液回収装置の構成を示すとともに、本実施形態で実施される動作を示す概略図である。
【図３】本実施形態に係る溶液回収装置で実施される溶液タンク内に含まれる気体を取り除く動作を説明する図である。
【図４】本実施形態の溶液回収装置を用いて実施される溶液回収方法の一実施形態を示すフローチャートである。
【符号の説明】
【００４２】
８        冷媒ポンプ
９        溶液ポンプ
１０      吸収式冷温水機
１００    ホース［導通手段］
１０１    ホース
１１０    溶液回収タンク
１１１    蓋部
１２０    電磁弁［連動開閉弁］
１２３    錘［加圧手段］
１２４    錘［加圧手段］
１３０    ガイド柱［ガイド手段］
１３１    ガイド柱［ガイド手段］
１３２ａ  ガイド［ガイド手段］
１３２ｂ  ガイド［ガイド手段］
１３２ｃ  ガイド［ガイド手段］
１３２ｄ  ガイド［ガイド手段］
１３２ｅ  ガイド［ガイド手段］
１３２ｆ  ガイド［ガイド手段］
１３２ｇ  ガイド［ガイド手段］
１３２ｈ  ガイド［ガイド手段］
１３２ｉ  ガイド［ガイド手段］
１３２ｊ  ガイド［ガイド手段］
１４０    第１検知部
１４１    第２検知部
１５０    押え板［加圧手段］
１６０    ポンプ
２００ａ  開閉弁［排出・注入開閉弁］
２００ｂ  開閉弁［排出・注入開閉弁］
２００ｃ  開閉弁［排出・注入開閉弁］
２００ｄ  開閉弁［排出・注入開閉弁］
２００ｆ  排出弁
３０１    気液分離装置
【図１】
2008232545.tif 000003
【図２】
2008232545.tif 000004
【図３】
2008232545.tif 000005
【図４】
2008232545.tif 000006